(57)【要約】【課題】マスク本体に貼着してもその通気性を妨げにくい鼻用保湿材、及びそれを備えたマスクを提供する。【解決手段】鼻用保湿材１は、装着者の鼻及び口を覆うマスク本体の内面に貼着される。鼻用保湿材１は、保水層１０、及び粘着層２０を備えている。保水層１０は、シート状をしており、水分を保持する。粘着層２０は、保水層１０の裏面に設けられており、マスク本体の内面に対して粘着力を有する。粘着層２０は、保水層１０の裏面の一部にのみ設けられている。【選択図】図１
2020076196.tif 000002
【特許請求の範囲】
【請求項１】
装着者の鼻及び口を覆うマスク本体の内面に貼着される鼻用保湿材であって、
水分を保持するシート状の保水層と、
前記保水層の裏面に設けられ、前記マスク本体の前記内面に対して粘着力を有する粘着層と、を備え、
前記粘着層は、前記保水層の前記裏面の一部にのみ設けられていることを特徴とする鼻用保湿材。
【請求項２】
請求項１に記載の鼻用保湿材において、
当該鼻用保湿材は、前記マスク本体の前記内面に繰り返し貼着可能である鼻用保湿材。
【請求項３】
請求項１又は２に記載の鼻用保湿材において、
前記保水層は、通気性を有する鼻用保湿材。
【請求項４】
請求項３に記載の鼻用保湿材において、
前記保水層は、前記マスク本体よりも高い通気性を有する鼻用保湿材。
【請求項５】
請求項１乃至４の何れかに記載の鼻用保湿材において、
前記保水層は、帯電状態にある鼻用保湿材。
【請求項６】
請求項１乃至５の何れかに記載の鼻用保湿材において、
前記保水層は、保湿成分を含有する鼻用保湿材。
【請求項７】
請求項１乃至６の何れかに記載の鼻用保湿材において、
前記保水層は、芳香成分を含有する鼻用保湿材。
【請求項８】
請求項１乃至７の何れかに記載の鼻用保湿材において、
前記保水層は、抗菌成分を含有する鼻用保湿材。
【請求項９】
請求項１乃至８の何れかに記載の鼻用保湿材において、
前記保水層は、形状記憶性を有する鼻用保湿材。
【請求項１０】
請求項１乃至８の何れかに記載の鼻用保湿材において、
前記保水層は、可塑性を有する鼻用保湿材。
【請求項１１】
請求項１乃至１０の何れかに記載の鼻用保湿材において、
前記保水層は、不織布からなる鼻用保湿材。
【請求項１２】
請求項１乃至１１の何れかに記載の鼻用保湿材において、
前記保水層の前記裏面に占める前記粘着層が設けられた部分の面積割合は、１０％以上５０％以下である鼻用保湿材。
【請求項１３】
請求項１乃至１２の何れかに記載の鼻用保湿材において、
前記保水層の前記裏面において前記粘着層は、複数箇所に分かれて配設されている鼻用保湿材。
【請求項１４】
請求項１乃至１３の何れかに記載の鼻用保湿材において、
前記保水層は、平面視で、当該保水層の左右方向に延びる仮想的な直線の上側に存在する領域である上側領域と、前記直線の下側に存在する領域である下側領域とからなる鼻用保湿材。
【請求項１５】
請求項１４に記載の鼻用保湿材において、
当該鼻用保湿材は、前記上側領域が前記鼻と前記口との間の領域である鼻下領域に対向するとともに前記下側領域が前記口に対向するように、前記マスク本体の前記内面に貼着される鼻用保湿材。
【請求項１６】
請求項１５に記載の鼻用保湿材において、
前記上側領域の上下方向の長さは、前記鼻下領域の上下方向の長さ以下である鼻用保湿材。
【請求項１７】
請求項１４乃至１６の何れかに記載の鼻用保湿材において、
前記粘着層は、前記上側領域にのみ設けられている鼻用保湿材。
【請求項１８】
請求項１４乃至１７の何れかに記載の鼻用保湿材において、
前記保水層の前記下側領域の厚みは、当該保水層の前記上側領域の厚みよりも小さい鼻用保湿材。
【請求項１９】
請求項１８に記載の鼻用保湿材において、
前記保水層の前記上側領域及び前記下側領域は、それぞれｍ層構造（ｍは２以上の整数）及びｎ層構造（ｎは１以上の整数）を有し、
ｎ＜ｍである鼻用保湿材。
【請求項２０】
請求項１乃至１９の何れかに記載の鼻用保湿材において、
前記粘着層の粘着面に仮着された保護シートを備える鼻用保湿材。
【請求項２１】
請求項１乃至２０の何れかに記載の鼻用保湿材と、
前記マスク本体と、
を備えることを特徴とするマスク。
【請求項２２】
請求項２１に記載のマスクにおいて、
前記マスク本体の前記内面には、前記鼻用保湿材の貼着位置を示す印が付されているマスク。  
【発明の詳細な説明】
【技術分野】
【０００１】
本発明は、人の鼻腔を保湿する鼻用保湿材、及びそれを備えたマスクに関する。
【背景技術】
【０００２】
就寝中や飛行機での移動中など、湿度の低い空気が呼吸時に鼻腔内に吸い込まれることにより、鼻腔が乾燥することがしばしばある。鼻腔の乾燥は、喉の乾燥にもつながり、不快に感じることもある。従来、かかる鼻腔等の乾燥を抑制する手段として、例えば特許文献１に記載された保湿マスクが提案されている。同文献に記載された保湿マスクは、装着者の鼻及び口を覆うマスク本体と、化粧水等の液体が含浸される液体含浸部とを備えている。液体含浸部の裏面には、粘着層が形成されている。液体含浸部は、粘着層を介してマスク本体の内面に貼着される。
【先行技術文献】
【特許文献】
【０００３】
【特許文献１】特許第５７３４５３０号公報
【発明の概要】
【発明が解決しようとする課題】
【０００４】
上述の保湿マスクによれば、液体含浸部に含浸された液体が蒸散してマスク本体内の空間を潤すため、鼻腔等の乾燥を抑制することができる。しかしながら、液体含浸部の裏面には粘着層が設けられているため、マスク本体における液体含浸部が貼着された部位の通気性が妨げられるという問題がある。
【０００５】
本発明は、上記課題に鑑みてなされたものであり、マスク本体に貼着してもその通気性を妨げにくい鼻用保湿材、及びそれを備えたマスクを提供することを目的とする。
【課題を解決するための手段】
【０００６】
本発明による鼻用保湿材は、装着者の鼻及び口を覆うマスク本体の内面に貼着される鼻用保湿材であって、水分を保持するシート状の保水層と、上記保水層の裏面に設けられ、上記マスク本体の上記内面に対して粘着力を有する粘着層と、を備え、上記粘着層は、上記保水層の上記裏面の一部にのみ設けられていることを特徴とする。
【０００７】
この鼻用保湿材は、保水層の裏面に設けられた粘着層の粘着力によりマスク本体の内面に貼着される。粘着層は、保水層の裏面の一部にのみ設けられている。このため、マスク本体における鼻用保湿材が貼着された部位においても、粘着層が設けられていない部分を通じて空気の流れを確保することができる。
【０００８】
また、本発明によるマスクは、上記鼻用保湿材と、上記マスク本体と、を備えることを特徴とする。
【０００９】
このマスクにおいては、マスク本体の内面に上述の鼻用保湿材が貼着される。このため、マスク本体における鼻用保湿材が貼着された部位においても、粘着層が設けられていない部分を通じて空気の流れを確保することができる。
【発明の効果】
【００１０】
本発明によれば、マスク本体に貼着してもその通気性を妨げにくい鼻用保湿材、及びそれを備えたマスクが実現される。
【図面の簡単な説明】
【００１１】
【図１】本発明による鼻用保湿材の第１実施形態を示す平面図である。
【図２】図１の鼻用保湿材を示す正面図である。
【図３】本発明によるマスクの第１実施形態を示す平面図である。
【図４】マスク本体４２を示す平面図である。
【図５】本発明による鼻用保湿材の第２実施形態を示す平面図である。
【図６】図５の鼻用保湿材を示す正面図である。
【図７】図５の鼻用保湿材を示す側面図である。
【図８】本発明によるマスクの第２実施形態を示す平面図である。
【図９】保水層１０の変形例を説明するための正面図である。
【図１０】保護シート３０の変形例を説明するための正面図である。
【図１１】粘着層２０の一変形例を説明するための平面図である。
【図１２】粘着層２０の他の変形例を説明するための平面図である。
【図１３】粘着層２０の他の変形例を説明するための平面図である。
【図１４】粘着層２０の他の変形例を説明するための平面図である。
【発明を実施するための形態】
【００１２】
以下、図面を参照しつつ、本発明の実施形態について詳細に説明する。なお、図面の説明においては、同一要素には同一符号を付し、重複する説明を省略する。
（第１実施形態）
【００１３】
図１は、本発明による鼻用保湿材の第１実施形態を示す平面図である。また、図２は、図１の鼻用保湿材を示す正面図である。すなわち、図２は、図１の鼻用保湿材を図中の下方向から見た図である。鼻用保湿材１は、保湿機能を有しており、人の鼻腔を保湿するために用いられる。鼻用保湿材１は、使用時、後述するように、装着者の鼻及び口を覆うマスク本体の内面に貼着される。鼻用保湿材１は、保水層１０、粘着層２０、及び保護シート３０を備えている。
【００１４】
保水層１０は、シート状をしており、保湿機能を有している。保水層１０は、鼻用保湿材１の使用時、水分を保持する。保水層１０には、予め水分が含浸されていてもよいし、鼻用保湿材１の使用前にユーザ（マスクの装着者）が保水層１０に水分を含浸させてもよい。また、ユーザは、鼻用保湿材１の使用中、必要に応じて保水層１０に水分を補給してもよい。保水層１０は、当該保水層１０の保湿機能を高める保湿成分を含有していてもよい。かかる保湿成分としては、例えば、コラーゲン、ヒアルロン酸、グリセリン類等が挙げられる。保水層１０の材料としては、例えば、不織布、紙、パルプ、合成繊維、布等を用いることができる。不織布は、乾式不織布又は湿式不織布の何れであってもよい。保水層１０は、１枚のシートのみからなる単層構造を有していてもよいし、互いに積層された２枚以上のシートからなる複層構造を有していてもよい。
【００１５】
本実施形態において保水層１０の平面形状は、横長の長方形である。保水層１０の左右方向の長さｄ１は、例えば、３０ｍｍ以上１００ｍｍ以下である。保水層１０の上下方向の長さｄ２は、例えば、２０ｍｍ以上５０ｍｍ以下である。また、保水層１０の厚みｄ３（図２参照）は、例えば、０．５ｍｍ以上５ｍｍ以下である。ただし、厚みｄ３は、保水層１０が水分を保持していない状態（乾燥状態）にあるときの厚みである。
【００１６】
保水層１０は、通気性を有している。保水層１０は、鼻用保湿材１が貼着されるマスク本体よりも高い通気性を有することが好ましい。通気性は、ＪＩＳ規格（ＪＩＳ Ｌ１０９６：２０１０）に定められたフラジール形法により測定することができる。
【００１７】
保水層１０は、帯電状態にあってもよい。かかる保水層１０は、例えば、保水層１０の材料としてコロナ処理やプラズマ処理等により静電気を帯電させた不織布等を用いることにより、実現することができる。保水層１０が複数のシートからなる複層構造を有する場合、帯電させるシートと含水させるシートとを区別してもよい。すなわち、保水層１０を構成する一部のシート（保水層１０の裏面に近いシートが好ましい。）に帯電させる一方、残りのシート（保水層１０の表面に近いシートが好ましい。）に含水させてもよい。
【００１８】
保水層１０には、芳香成分及び／又は抗菌成分が含有されていてもよい。芳香成分としては、例えば、ユーカリ、ローズマリーその他のハーブの香りを発するものが挙げられる。また、抗菌成分としては、例えば、カテキンその他のタンニンが挙げられる。タンニンとしては、お茶やコーヒーに含有されているものを用いることができる。
【００１９】
保水層１０は、平面視（図１参照）で、保水層１０の左右方向に延びる仮想的な直線Ｌ１の上側に存在する領域である上側領域１２と、直線Ｌ１の下側に存在する領域である下側領域１４とからなる。鼻用保湿材１の使用時、上側領域１２は装着者の鼻と口との間の領域である鼻下領域に対向し、下側領域１４は装着者の口に対向する。
【００２０】
上側領域１２及び下側領域１４の平面形状は、何れも横長の長方形である。上側領域１２及び下側領域１４の左右方向の長さは、何れも保水層１０全体の左右方向の長さｄ１に等しい。上側領域１２の上下方向の長さは、鼻下領域の上下方向の長さ以下であることが好ましい。上側領域１２の上下方向の長さは、例えば、１０ｍｍ以上２０ｍｍ以下である。下側領域１４の上下方向の長さは、例えば、１０ｍｍ以上３０ｍｍ以下である。上側領域１２の上下方向の長さと下側領域１４の上下方向の長さとの和は、保水層１０全体の上下方向の長さｄ２に等しい。
【００２１】
粘着層２０は、保水層１０の裏面（マスク本体に対向する面）に設けられている。図１は、保水層１０の裏面側を示している。粘着層２０は、マスク本体の内面に対して粘着力を有する。鼻用保湿材１は、粘着層２０を介して、マスク本体の内面に貼着される。鼻用保湿材１は、マスク本体の内面に繰り返し貼着可能であることが好ましい。ここで、繰り返し貼着可能とは、マスク本体及び鼻用保湿材１を損傷することなく、鼻用保湿材１がマスク本体の内面に貼着された状態と貼着されていない状態とを交互に何度も切り替えられることをいう。かかる鼻用保湿材１は、粘着層２０の粘着力を適度に調整することにより実現することができる。なお、鼻用保湿材１は、顔面に貼着して用いることも可能である。例えば、マスクが手元にない場合等には、鼻用保湿材１を鼻下領域に貼着することにより、鼻腔を保湿することが可能である。それゆえ、粘着層２０は、人の肌に優しい材料からなることが好ましい。
【００２２】
粘着層２０は、保水層１０の裏面の一部にのみ設けられている。保水層１０の裏面において粘着層２０は、複数箇所（本実施形態においては３箇所）に分かれて配設されている。各箇所の粘着層２０は、保水層１０の上下方向に延在している。具体的には、各箇所の粘着層２０は、保水層１０の上端から途中（上側領域１２と下側領域１４との境界）まで延在している。それゆえ、粘着層２０は、上側領域１２にのみ設けられており、下側領域１４には設けられていない。１箇所の粘着層２０は、保水層１０の左端に沿って設けられている。もう１箇所の粘着層２０は、保水層１０の右端に沿って設けられている。残りの１箇所の粘着層２０は、保水層１０を左右に二等分する直線に沿って設けられている。保水層１０の裏面に占める粘着層２０が設けられた部分の面積割合は、１０％以上５０％以下であることが好ましい。
【００２３】
図２に示すように、保護シート３０は、粘着層２０の粘着面（保水層１０と反対側の面）に仮着されている。なお、図１においては、保護シート３０の図示を省略している。保護シート３０は、粘着層２０の粘着面を保護するために設けられている。保護シート３０は、平面視で、粘着層２０と同一の大きさ及び形状をしており、粘着層２０の粘着面の全体に仮着されている。保護シート３０は、鼻用保湿材１をマスク本体に貼着する前に、粘着層２０から剥離される。保護シート３０としては、例えば、剥離紙又は剥離フィルムを用いることができる。
【００２４】
図３は、本発明によるマスクの第１実施形態を示す平面図である。マスク４０は、マスク本体４２、及び上述の鼻用保湿材１を備えている。マスク本体４２は、装着者の鼻及び口を覆う。同図は、マスク本体４２の内面側を示している。マスク本体４２は、通気性を有する材料からなる。かかる材料としては、例えば、不織布、紙、又はガーゼを用いることができる。マスク本体４２の材料は、保水層１０の材料と同一であってもよいし、異なっていてもよい。マスク本体４２の内面には、鼻用保湿材１が貼着されている。鼻用保湿材１は、上側領域１２が鼻下領域に対向するとともに下側領域１４が口に対向するように、マスク本体４２の内面に貼着されている。
【００２５】
図４は、マスク本体４２を示す平面図である。マスク本体４２の内面には、鼻用保湿材１の貼着位置を示す印４６が付されている。本実施形態において印４６は、鼻用保湿材１の四隅の位置を示す４つの鍵印からなる。印４６に合わせて鼻用保湿材１を貼着することにより、鼻用保湿材１をマスク本体４２の内面の所定の位置に貼着することができる。
【００２６】
図３に戻って、マスク本体４２には、当該マスク本体４２を装着者の顔に固定するための固定手段４４が取り付けられている。本実施形態において固定手段４４は、装着者の耳に掛けられる紐状部材である。かかる紐状部材としては、例えば、ゴム紐を用いることができる。
【００２７】
マスク４０における鼻用保湿材１を除く部分（マスク本体４２及び固定手段４４からなる部分）としては、一般的な市販のマスク（使い捨てされるタイプ又は繰り返し使用されるタイプの何れであってもよい。）を用いることができる。
【００２８】
本実施形態の効果を説明する。鼻用保湿材１は、保水層１０の裏面に設けられた粘着層２０の粘着力によりマスク本体４２の内面に貼着される。粘着層２０は、保水層１０の裏面の一部にのみ設けられている。このため、マスク本体４２における鼻用保湿材１が貼着された部位においても、粘着層２０が設けられていない部分を通じて空気の流れを確保することができる。したがって、マスク本体４２に貼着してもその通気性を妨げにくい鼻用保湿材１、及びそれを備えたマスク４０が実現されている。
【００２９】
このようにマスク本体４２の内面に鼻用保湿材１を貼着することにより、保水層１０の水分が蒸散してマスク本体４２内の空間（マスク本体４２と顔との間の空間）を潤すため、鼻腔や喉の乾燥を抑制することができる。また、上記空間の湿度を高めることにより、インフルエンザウィルス等の感染力を低下させる効果も期待できる。
【００３０】
鼻用保湿材１の保湿効果を高めるには、保水層１０の面積を大きくした方が有利である。ところが、従来のように保水層の裏面の全体に粘着層が設けられる場合、保水層の面積を大きくすると、粘着層の面積も大きくなり、マスク本体の通気性が妨げられる程度が増してしまうというジレンマがある。この点、本実施形態においては保水層１０の裏面の一部にのみ粘着層２０が設けられているため、粘着層２０の面積を大きくすることなく保水層１０の面積のみを大きくすることが可能である。このため、上記ジレンマを解消することができる。
【００３１】
粘着層２０の面積が小さい程、マスク本体４２の通気性が妨げられにくくなる。かかる観点から、保水層１０の裏面に占める粘着層２０が設けられた部分の面積割合は、５０％以下であることが好ましい。他方、粘着層２０の面積が小さすぎると、マスク本体４２に対する鼻用保湿材１の貼着が不安定になりかねない。かかる観点から、上記面積割合は、１０％以上であることが好ましい。
【００３２】
保水層１０の裏面の一部にのみ粘着層２０が設けられている場合、粘着層２０が設けられていない部分において保水層１０の裏面が露出する。これにより、吸気時にマスク本体４２を通過した空気が保水層１０の裏面の露出部分にぶつかるため、保水層１０の水分の蒸散を促進することができる。
【００３３】
鼻用保湿材１がマスク本体４２の内面に繰り返し貼着可能である場合、鼻用保湿材１を何度も使用することができるため、経済的である。例えば、マスク４０を新しいものに交換する際、古いマスク４０のマスク本体４２から剥がした鼻用保湿材１を新しいマスク４０のマスク本体４２に貼着して再度使用することができる。
【００３４】
保水層１０は、通気性を有している。このため、マスク４０においては、マスク本体４２に鼻用保湿材１が貼着されていても、呼吸が妨げられにくい。このように呼吸を妨げにくくするという観点から、鼻用保湿材１はマスク本体４２よりも高い通気性を有することが好適である。
【００３５】
保水層１０が帯電状態にある場合、マスク本体４２内の空間にウィルスや花粉等の微粒子が侵入した場合であっても、当該微粒子を保水層１０の静電気で吸着することができる。
【００３６】
保水層１０が保湿成分を含有する場合、保水層１０（鼻用保湿材１）の保湿効果を高めることができる。保水層１０が芳香成分を含有する場合、当該成分が呼吸時に鼻腔に吸い込まれることにより、より快適に鼻用保湿材１を使用することができる。保水層１０が抗菌成分を含有する場合、呼気中や吸気中の雑菌が繁殖するのを抑制することができるため、より衛生的に鼻用保湿材１を使用することができる。
【００３７】
保水層１０が不織布からなる場合、通気性に優れた保水層１０を低コストで実現することができる。
【００３８】
保水層１０の裏面において粘着層２０は、複数箇所に分かれて配設されている。これにより、複数個所においてマスク本体４２と鼻用保湿材１とが接着されるため、粘着層２０全体の面積が小さい場合であっても、マスク本体４２に鼻用保湿材１を安定的に貼着しやすくなる。
【００３９】
保水層１０は、上側領域１２及び下側領域１４からなっている。そして、鼻用保湿材１は、上側領域１２が鼻下領域に対向するとともに下側領域１４が口に対向するように、マスク本体４２の内面に貼着される。この場合、鼻呼吸時には専ら上側領域１２から鼻腔内に水分が供給され、口呼吸時には専ら下側領域１４から口腔内に水分が供給される。これにより、鼻腔だけでなく口腔の乾燥も効果的に防ぐことができる。
【００４０】
上側領域１２の上下方向の長さが鼻下領域の上下方向の長さ以下である場合、保水層１０（上側領域１２）が鼻頭を覆わないようにしつつ、上側領域１２が鼻下領域に対向するように位置合わせしやすくなる。通常、鼻頭とマスク本体との間には隙間がないため、保水層１０が鼻頭まで覆うと、濡れた保水層１０に鼻頭が常に触れることになり、装着者に不快感を与えかねない。
【００４１】
粘着層２０は、上側領域１２にのみ設けられている。すなわち、下側領域１４には、粘着層２０が全く設けられていない。この場合、マスク本体４２における口を覆う部分の通気性が粘着層２０によって妨げられないため、口呼吸を楽に行えるという利点がある。また、鼻用保湿材１を顔面に貼着する場合に、粘着層２０が口に触れるのを避けることができる。
【００４２】
粘着層２０の粘着面には、保護シート３０が仮着されている。これにより、鼻用保湿材１の使用前、粘着層２０の粘着面が汚れたり、その粘着力が低下したりするのを防ぐことができる。
【００４３】
マスク本体４２の内面には、鼻用保湿材１の貼着位置を示す印４６が付されている。これにより、鼻用保湿材１を貼着する際、マスク本体４２に対する鼻用保湿材１の位置合わせを容易に行うことができる。
（第２実施形態）
【００４４】
図５は、本発明による鼻用保湿材の第２実施形態を示す平面図である。また、図６及び図７は、それぞれ、図５の鼻用保湿材を示す正面図及び側面図である。すなわち、図６及び図７は、それぞれ、図５の鼻用保湿材を図中の下方向及び右方向から見た図である。鼻用保湿材２は、保湿機能を有しており、人の鼻腔を保湿するために用いられる。鼻用保湿材２は、使用時、装着者の鼻及び口を覆うマスク本体の内面に貼着される。鼻用保湿材２は、保水層１０、粘着層２０、及び保護シート３０を備えている。粘着層２０及び保護シート３０の構成は、第１実施形態で説明したとおりである。
【００４５】
図７からわかるように、本実施形態において保水層１０の下側領域１４の厚みは、保水層１０の上側領域１２の厚みよりも小さい。詳細には、上側領域１２及び下側領域１４は、それぞれｍ層構造（ｍは２以上の整数）及びｎ層構造（ｎは１以上の整数）を有している。ただし、ｎ＜ｍである。同図は、ｍ＝２、ｎ＝１の場合の例を示している。下側領域１４を構成する層は、上側領域１２を構成する層と連続している。かかる構成は、例えば、平面視で、保水層１０全体と同一の形状及び大きさを有する第１のシート上に、上側領域１２と同一の形状及び大きさを有する第２のシートを積層することにより、実現することができる。その場合、上側領域１２は第１及び第２のシートからなる二層構造（複層構造）を有する一方、下側領域１４は第１のシートのみからなる一層構造（単層構造）を有することになる。鼻用保湿材２のその他の構成は、鼻用保湿材１と同様である。
【００４６】
図８は、本発明によるマスクの第２実施形態を示す平面図である。マスク５０は、マスク本体４２、及び上述の鼻用保湿材２を備えている。マスク本体４２の構成は、第１実施形態で説明したとおりである。マスク本体４２の内面には、鼻用保湿材２が貼着されている。鼻用保湿材２は、上側領域１２が鼻下領域に対向するとともに下側領域１４が口に対向するように、マスク本体４２の内面に貼着されている。
【００４７】
本実施形態の効果を説明する。鼻用保湿材２は、保水層１０の裏面に設けられた粘着層２０の粘着力によりマスク本体４２の内面に貼着される。このとき、粘着層２０は、保水層１０の裏面の一部にのみ設けられている。このため、マスク本体４２における鼻用保湿材２が貼着された部位においても、粘着層２０が設けられていない部分を通じて空気の流れを確保することができる。したがって、マスク本体４２に貼着してもその通気性を妨げにくい鼻用保湿材２、及びそれを備えたマスク５０が実現されている。
【００４８】
下側領域１４の厚みは、上側領域１２の厚みよりも小さい。このように下側領域１４の厚みを小さくすることにより、下側領域１４の通気性が高まるため、口呼吸を楽に行いやすくなる。一方、上側領域１２の厚みを大きくすることにより、上側領域１２が多くの水分を保持できるようになるため、保水層１０の保湿効果を長時間にわたって持続させることができる。
【００４９】
上側領域１２及び下側領域１４はそれぞれｍ層構造及びｎ層構造を有しており、ｎ＜ｍである。このように上側領域１２の層数と下側領域１４の層数とを異ならしめることにより、下側領域１４の厚みが上側領域１２の厚みよりも小さい構成を容易に実現することができる。鼻用保湿材２のその他の効果は、鼻用保湿材１と同様である。
【００５０】
本発明は、上記実施形態に限定されるものではなく、様々な変形が可能である。上記実施形態において保水層１０は、例えば図９に示すように、形状記憶性を有していてもよい。同図においては、保水層１０がその裏面側に膨むように湾曲した形状を記憶している。かかる保水層１０は、例えば、保水層１０の材料として形状記憶不織布又は形状記憶紙を用いることにより実現することができる。この場合、鼻用保湿材をマスク本体に貼着して用いたときに、保水層１０と顔との間に適度な隙間を確保しやすくなる。これにより、呼吸を楽に行うことができる。
【００５１】
上記実施形態において保水層１０は、可塑性を有していてもよい。この場合、ユーザは、保水層１０をその裏面側に膨むように湾曲した形状（図９参照）に変形させることにより、鼻用保湿材をマスク本体に貼着して用いたときに、保水層１０と顔との間に適度な隙間を確保しやすくなる。
【００５２】
上記実施形態においては、複数箇所に分かれて設けられた各箇所の粘着層２０の粘着面に対して個別に保護シート３０が仮着された場合を例示した。しかし、例えば図１０に示すように、１枚の保護シート３０を複数箇所の粘着層２０の粘着面に仮着させてもよい。同図においては、３箇所の粘着層２０が一括して１枚の保護シート３０で覆われている。この場合、１枚の保護シート３０を剥がすだけで複数箇所の粘着層２０の粘着面を露出させることができるため、粘着層２０からの保護シート３０の剥離作業が容易になる。
【００５３】
上記実施形態においては、上側領域１２及び下側領域１４のうち上側領域１２にのみ粘着層２０が設けられた場合を例示した。しかし、粘着層２０は、例えば図１１に示すように、上側領域１２及び下側領域１４の双方に設けられていてもよい。同図においては、各箇所の粘着層２０が、保水層１０の上端から下端まで延在している。
【００５４】
上記実施形態においては、粘着層２０が複数箇所に分かれて配設されている場合を例示した。しかし、粘着層２０は、例えば図１２〜図１４に示すように、保水層１０の裏面において１箇所にのみ配設されていてもよい。図１２においては、保水層１０を上下に二等分する直線に沿って、粘着層２０が保水層１０の左右方向に延在している。図１３においては、上側領域１２を上下に二等分する直線に沿って、粘着層２０が保水層１０の左右方向に延在している。また、図１４においては、保水層１０の上端に沿って、粘着層２０が保水層１０の左右方向に延在している。
【００５５】
上記実施形態においては、保水層１０が鼻下領域及び口に対向するように各鼻用保湿材１，２がマスク本体４２の内面に貼着される場合を例示した。しかし、本発明による鼻用保湿材は、保水層１０が鼻下領域にのみ対向するように貼着されてもよい。また、本発明による鼻用保湿材は、鼻腔に対する保湿効果が得られる限り、マスク本体４２の内面の任意の位置に貼着してよい。
【符号の説明】
【００５６】
１  鼻用保湿材
２  鼻用保湿材
１０  保水層
１２  上側領域
１４  下側領域
２０  粘着層
３０  保護シート
４０  マスク
４２  マスク本体
４４  固定手段
４６  印
５０  マスク
【図１】
2020076196.tif 000003
【図２】
2020076196.tif 000004
【図３】
2020076196.tif 000005
【図４】
2020076196.tif 000006
【図５】
2020076196.tif 000007
【図６】
2020076196.tif 000008
【図７】
2020076196.tif 000009
【図８】
2020076196.tif 000010
【図９】
2020076196.tif 000011
【図１０】
2020076196.tif 000012
【図１１】
2020076196.tif 000013
【図１２】
2020076196.tif 000014
【図１３】
2020076196.tif 000015
【図１４】
2020076196.tif 000016